(57)【要約】【課題】本発明は、載置面に置いた際に転がりが抑制でき、静止状態を維持させることができる電球形ランプ提供することである。【解決手段】本発明の一の態様に係る電球形ランプ（１００）は、光源（６）と、前記光源（６）が配置される上面部（３４７）と前記上面部（３４７）の周縁部から前記光源（６）と反対側向かって平面部（３７９）が立設された筒部（３７）を有している本体部（３）とを備え、前記本体部（３）は、前記平面部（３７９）を前記光源（６）と反対側に延長した仮想面が前記筒部（３７）の前記平面部（３７９）より前記光源（６）と反対側の一箇所と接する構成としたので、載置面（８０００）に置いた際に転がりが抑制でき、静止状態を維持させることができる。【選択図】          図１７
2018174072.tif 000002
【特許請求の範囲】
【請求項１】
光源と、
前記光源が配置される上面部と前記上面部の周縁部から前記光源と反対側向かって平面部が立設された筒部を有している本体部と
を備え、
前記本体部は、
前記平面部を前記光源と反対側に延長した仮想面が前記筒部の前記平面部より前記光源と反対側の一箇所と接している照明具。
【請求項２】
前記本体部は、
前記上面部に、前記光源が配置される光源配置部と前記光源配置部の周囲に配置され前記光源配置部を覆うように配置されるカバーが取り付けられる取付部とが形成されている請求項１に記載の照明具。
【請求項３】
前記本体部は、
前記取付部が前記上面部における前記周縁部より前記本体部の中心軸の側に形成されている請求項１又は２に記載の照明具。
【請求項４】
前記本体部は、
前記平面部と前記本体部の中心軸との距離寸法が、前記周縁部から前記光源と反対側向かうにしたがって徐々に小さくなる請求項１から３のいずれか一項に記載の照明具。
【請求項５】
前記本体部は、
複数の前記平面部を有し、
前記平面部は前記筒部の前記上面側に隣接して配置されている請求項１から４のいずれか一項に記載の照明具。
【請求項６】
前記本体部は、
正面視において前記上面部が多角形をなしている請求項５に記載の照明具。
【請求項７】
前記本体部は、
複数の前記平面部を有し、
前記平面部は前記筒部の前記上面側に離間して配置されている請求項１から４のいずれか一項に記載の照明具。
【請求項８】
請求項１から７のいずれかに一項に記載の照明具を備えた照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を用いた照明具、照明具に用いられるカバー、照明具を用いた照明装置に関する。特に、ダウンライト装置に装着する電球形ランプである照明具に関する。
【背景技術】
【０００２】
電球形ランプの多くは、従来の一般電球の代替として使用できるように、円筒形状の本体部と、本体部の一端部に設けられる球状ないし略半球状のカバーと、本体部の他端部に設けられる口金と、を備えた構成となっている。
このため、電球形ランプの取り付け又は取り外し作業の際に、電球形ランプを一時的にテーブル、床面等の載置面に置いた場合に、載置面の僅かな傾きなどによって電球形ランプが転がることが想定され、取り付け又は取り外し作業の妨げとなっていた。さらに、載置面が高所にある場合には、電球形ランプが転がることで落下し、電球形ランプを損傷させてしまう恐れがあった。
【０００３】
これらの問題を解決する手段として、特許文献１には、放電管をグローブで覆った形状の電球形蛍光ランプにおいて、転がり防止手段としてグローブの表面の一部に一または複数個の平面部を設けた構造が開示されている。このグローブに平面部を設けた電球形蛍光ランプを、平面部を下にして平らな面に置くことで、電球形蛍光ランプが転がることを防止している。ここで、グローブは本願発明におけるカバーに相当する。
【先行技術文献】
【特許文献】
【０００４】
【特許文献１】特開２００９−１３５１２０号公報
【特許文献２】特開２０１３−０５５０４３号公報
【発明の概要】
【発明が解決しようとする課題】
【０００５】
特許文献１に記載された放電管を備えた電球形蛍光ランプは、ハウジング（本願発明における本体部）の直径寸法に対してグローブ（本願発明におけるカバー）の直径寸法が大きく、径方向に大きく張り出したグローブの側面に平面部又は凹部を設け、転がりを防止している。
しかしながら、特許文献２に記載された、グローブの直径寸法がハウジングの直径寸法と略同等もしくはハウジングの直径寸法よりも小さい電球形ランプにおいては、特許文献１に記載された構造を採用することが困難である。
【０００６】
本発明は、上記を鑑みてなされたものであり、その目的は、カバーの直径寸法がハウジングの直径寸法と略同等もしくはハウジングの直径寸法よりも小さい電球形ランプであり、載置面に置いた際に転がりが抑制でき、静止状態を維持させることができる電球形ランプ提供することである。
【課題を解決するための手段】
【０００７】
本発明の一の態様に係る照明具は、光源と、前記光源が配置される上面部と前記上面部の周縁部から前記光源と反対側向かって平面部が立設された筒部を有している本体部と
を備え、前記本体部は、前記平面部を前記光源と反対側に延長した仮想面が前記筒部の前記平面部より前記光源と反対側の一箇所と接する。
【発明の効果】
【０００８】
本発明の一の態様に係る照明具は、光源と、前記光源が配置される上面部と前記上面部の周縁部から前記光源と反対側向かって平面部が立設された筒部を有している本体部と
を備え、前記本体部は、前記平面部を前記光源と反対側に延長した仮想面が前記筒部の前記平面部より前記光源と反対側の一箇所と接する構成としたので、載置面に置いた際に転がりが抑制でき、静止状態を維持させることができる。
【図面の簡単な説明】
【０００９】
【図１】本発明の実施の形態１に係る照明具１００の分解斜視図である。
【図２】本発明の実施の形態１に係る照明具１００の斜視図であり、（ａ）が口金１の側から見た斜視図、（ｂ）がカバー４の側から見た斜視図である。
【図３】本発明の実施の形態１に係る照明具１００を示す図であり、（ａ）が平面図、（ｂ）が底面図である。
【図４】本発明の実施の形態１に係る照明具１００を示す図であり、（ａ）が正面図、（ｂ）が側面図、（ｃ）が（ａ）のＡ−Ａ断面図である。
【図５】本発明の実施の形態１に係る絶縁部２の斜視図であり、（ａ）が上方から見た斜視図、（ｂ）が下方から見た斜視図である。
【図６】本発明の実施の形態１に係る絶縁部２を示す図であり、（ａ）が平面図、（ｂ）が底面図である。
【図７】本発明の実施の形態１に係る本体部３を示す図であり、（ａ）は上部から見た斜視図、（ｂ）は下部から見た斜視図である。
【図８】本発明の実施の形態１に係る本体部３を示す図であり、（ａ）が平面図、（ｂ）が底面図である。
【図９】本発明の実施の形態１に係る本体部３を示す図であり、（ａ）が挿入切欠き部３５を示す拡大図、（ｂ）が係合溝部３４示す拡大図である。
【図１０】本発明の実施の形態１に係る本体部３を示す図であり、（ａ）が図９の（ｂ）の斜視図、（ｂ）が図１１の（ａ）の斜視図である。
【図１１】本発明の実施の形態１に係るカバー４の斜視図であるである。
【図１２】本発明の実施の形態１に係るカバー４を示す図であり、（ａ）が平面図、（ｂ）が底面図である。
【図１３】本発明の実施の形態１に係るカバー４を示す図であり、図１１のＣ部拡大斜視図である。
【図１４】本発明の実施の形態１に係る本体部３とカバー４との取付け構造を示す図であり、（ａ）が挿入切欠き部３５に係合突起部４６を挿入する状態を示す図、（ｂ）が挿入切欠き部３５に係合突起部４６を挿入した状態を示す図である。
【図１５】本発明の実施の形態１に係る本体部３とカバー４との取付け構造を示す図であり、挿入切欠き部３５に係合突起部４６を挿入した後にカバー４を回転した状態を示す図である。
【図１６】本発明の実施の形態２に係る照明具１００の部分拡大断面図である。
【図１７】本発明の実施の形態１又は２に係る照明具１００を載置面に載置した状態を示す図である。
【図１８】本発明の実施の形態７に係る照明具１００ａを埋め込みタイプの照明器具２０００に装着した照明装置３０００を示す図である。
【図１９】本発明の実施の形態８に係る照明具１００ａを、実施の形態７とは異なる埋め込みタイプの照明器具２０００ａに装着した照明装置３０００ａを示す図である。
【発明を実施するための形態】
【００１０】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向、向き、あるいは位置が示されている場合、それらの表記は、説明の便宜上、そのように記載しているだけであって、装置、器具、部品等の配置や向き等を限定するものではない。
【００１１】
実施の形態１．
＜＜構成の説明＞＞
図１は、本実施の形態に係る照明具１００の分解斜視図である。
図２は、本実施の形態に係る照明具１００の斜視図であり、（ａ）が口金１の側から見た斜視図、（ｂ）がカバー４の側から見た斜視図である。
図３は、本実施の形態に係る照明具１００を示す図であり、（ａ）が平面図、（ｂ）が底面図である。
図４は、本実施の形態に係る照明具１００を示す図であり、（ａ）が正面図、（ｂ）が側面図、（ｃ）が（ａ）のＡ−Ａ断面図である。
【００１２】
照明具１００は、口金１、絶縁部２、本体部３、カバー４、電源部５と、及び光源部６とを有する。
図１に示すように、照明具１００の中心軸を軸Ｏとする。
軸Ｏと平行な方向を軸方向あるいは矢印Ｚの方向（Ｚ方向）という。軸方向の一端とは、図４の（ａ）において、上部をいう。軸方向の他端とは、図４の（ａ）において、下部をいう。
照明具１００の上部側への向きを、上方あるいは発光向きという。また、照明具１００の下部側への向きを、下方あるいは発光向きの反対向きという。なお、光源が発する光の向きを発光向きという。
軸Ｏと直交する方向を径方向という。図３に示すように、矢印Ｘの方向（Ｘ方向）、矢印Ｙの方向（Ｙ方向）は径方向の一例である。また、軸Ｏの周囲を回転する方向を周方向という。
【００１３】
照明具１００は、具体的には、ＬＥＤを光源として用い、カバー４を除く外形が一般照明用白熱電球（エジソン電球）と完全同一または同等のフォルムをなす電球形ランプである。
【００１４】
＜口金１の説明＞
図１から図４に示すように、口金１は、絶縁部２のネジ部２１０にねじ込まれるシェル部１０、及び、口金１の下端部のアイレット部１２を有する。
口金１は、本体部３においてカバー４の反対側に配置される。口金１は、シェル部１０が絶縁部２の下部のネジ部２１０にねじ込まれて絶縁部２に取り付けられる。
口金１は、後述する照明器具２０００のような照明器具が備えるソケット２００４にねじ込まれて照明器具に取り付けられる。口金１は照明器具２０００のような照明器具が備えるソケット２００４から商用交流電力の供給を受ける（受電する）受電部ともいう。また、口金１は、照明具１００の外郭部の一部を構成する。
【００１５】
＜絶縁部２の説明＞
図５は、本実施の形態に係る絶縁部２の斜視図であり、（ａ）が上方から見た斜視図、（ｂ）が下方から見た斜視図である。
図６は、本実施の形態に係る絶縁部２を示す図であり、（ａ）が平面図、（ｂ）が底面図である。
【００１６】
図１から図６を用いて、絶縁部２について説明する。
絶縁部２は、外周部２１と内周部２２とを有する筒状の筒部２０、及び、筒部２０の上部を塞ぐ蓋部２６を有する。
絶縁部２は、例えば、樹脂材料などの電気絶縁性を備えた材料を用いて形成される。つまり、筒部２０及び蓋部２６は、例えば、樹脂材料などの電気絶縁性を備えた材料を用いて形成される。
【００１７】
絶縁部２は、絶縁筐体、樹脂筐体、内部筐体、ハウジングともいう。
絶縁部２は、射出成形法の他、付加製造技術（Ａｄｄｉｔｉｖｅ  Ｍａｎｕｆａｃｔｕｒｉｎｇ  Ｔｅｃｈｎｏｌｏｇｙ；一般に、３Ｄプリンターとも称される）を用いて形成されてもよい。
なお、本実施の形態における絶縁部２のうち蓋部２６は、電気絶縁性を備えた材料をシート状に成形されたものを抜型、カッターなどを用いて形成される。
【００１８】
筒部２０の外周部２１の下部には、口金１のシェル部１０がねじ込まれるネジ部２１０が形成される。
ネジ部２１０の外周には、口金１が装着されるソケットに対応してネジが切られている。
絶縁部２は、ネジ部２１０の下端部、すなわち口金１の側に下部開口を形成する第１開口端部２４と、筒部２０の上端部、すなわち光源部６の側に上部開口を形成する第２開口端部２５とを有する。
第１開口端部２４から第２開口端部２５までは、筒部２０の内部空間によって連通している。
なお、筒部２０の外周部２１の下部は、ソケットに装着される口金１を固定可能であればネジ部２１０以外の形で形成されてもよい。
【００１９】
図５に示すように、筒部２０の外周部２１には、絶縁部２を本体部３に挿入する際のガイドとなる挿入ガイド凸部２１２と、本体部３の下部に係止される鍔部２１１とを備える。挿入ガイド凸部２１２は、後述するリブ２３と並行して筒部２０の外側に形成される。
図４の（ａ），（ｂ），（ｃ）に示すように、本体部３と口金１の間には、絶縁部２の鍔部２１１が露出する。
鍔部２１１は、外周部２１とネジ部２１０との境界に、外周部２１から環状に突き出すように形成される。鍔部２１１は照明具１００の外殻部の一部を構成する。
図４の（ａ），（ｂ）に示すように、鍔部２１１の表面形状は、照明具１００の高い器具装着性と意匠性とを実現するために、ネジ部２１０側の下端部から外周部２１側の上端部にかけて滑らかな曲面となるように形成される。
【００２０】
ネジ部２１０の下端の周縁である第１開口端部２４には、口金１のシェル部１０に接続される第１電線を通過させる通線凹部２４０が形成される。通線凹部２４０は、幅Ｗ３４（図６の（ｂ））で第１開口端部２４を切り欠いて形成される。また、鍔部２１１の下端部には、この第１電線の端部を配置するための電線配置溝２１３が形成される。ここでは、第１電線の図示を省略する。
【００２１】
外周部２１の上端の周縁である第２開口端部２５には、光源部６及び蓋部２６をネジ止めするためのネジ孔２５１が形成された第１凸部２５０が設けられる。第１凸部２５０はボスともいう。
図５の（ａ），（ｂ）に示すように、第１凸部２５０は、第２開口端部２５の略直径上に２つ形成されている。本実施の形態では、２つの第１凸部２５０が、中心軸に対して回転対称に２箇所配置されているが、第１凸部２５０を配置する位置及び数は、上述以外の
位置及び数でも構わない。
【００２２】
なお、鍔部２１１より上部の筒部２０の最大径Ｗ３１（図６の（ａ））は、鍔部２１１の最大径Ｗ２８（図６）よりも若干小さい。また、２つの第１凸部２５０の各中心部の間隔Ｗ１２（図６の（ａ））は、鍔部２１１より上部の筒部２０の最大径Ｗ３１よりも若干小さい。
【００２３】
上述したように、挿入ガイド凸部２１２は、第１凸部２５０から下方に向かって形成されると共に、外周部２１から突出して形成されている。また、リブ２３は、第１凸部２５０から下方に向かって形成されると共に、内周部２２から突出して形成されている。
図５の（ａ）に示すように、第１凸部２５０と挿入ガイド凸部２１２とリブ２３とは、上下方向に延びた円柱状であり、筒部２０の壁部に配置され、壁部の外周部２１から挿入ガイド凸部２１２が突出すると共に壁部の内周部２２からリブ２３が突出する。
【００２４】
第２凸部２５２は、２つの第１凸部２５０の間の第２開口端部２５から上部に突き出すように形成される。図５に示すように、第２凸部２５２は、幅Ｗ２９で上部に突き出ている。第２凸部２５２は、本体部３に対する絶縁部２の回転方向の向きを特定するために配置されており、後述する本体部３の第２凹部３６１に挿入される。
本体部３に対する絶縁部２の回転方向の向きを特定することによって、電源部５と光源部６とを電気的に繋いで光源部６に点灯電力を供給する経路となる第１電線対（不図示）の長さを最短とすることができる。よって、製造コストの削減を図ることができる。また、第１電線対の余長が光を妨げ、影が発生することもない。
【００２５】
蓋部２６は、筒部２０の第２開口端部２５を覆うように取り付けられる。
蓋部２６には、筒部２０の第１凸部２５０を貫通させて位置決めすると共に、ネジを貫通させるネジ貫通部２６０と、電線を貫通させる電線貫通孔２６１とが形成される。
【００２６】
ここで、筒部２０と蓋部２６とからなる絶縁部２は、ＬＥＤを光源として用い、カバー４を除く外形がＪＩＳに定義されている一般照明用白熱電球（エジソン電球）と完全同一または同等のフォルムを有する電球形ランプにも用いることができるように形成されている。
【００２７】
＜電源部５の説明＞
電源部５は、筒状の絶縁部２の内部に収納される。
電源部５は、外部から口金１を経由して商用交流電力が入力され、光源素子６７を点灯させる点灯電力を生成して光源部６に供給する。
電源部５は、点灯回路基板５０を有する。点灯回路基板５０には、点灯回路部品５１が実装される。
口金１と電源部５とは、第１電線対により電気的に接続される。第１電線対は、電源部５に外部からの電力を供給する経路となる。ここでは、第１電線対の図示は省略する。
また、電源部５と光源部６とは、第２電線対により電気的に接続される。第２電線対は、光源部６に点灯電力を供給する経路となる。ここでは、第２電線対の図示は省略する。
なお、点灯回路基板５０の枚数は１枚でなくてもよい。点灯回路基板５０は、複数に分割されてもよいものとする。
【００２８】
ここで、点灯回路基板５０と点灯回路部品５１とからなる電源部５は、ＬＥＤを光源として用い、カバー４を除く外形がＪＩＳに定義されている一般照明用白熱電球（エジソン電球）と完全同一または同等のフォルムを有する電球形ランプにも用いることができるように形成されている。
【００２９】
＜光源部６の説明＞
光源部６は、後述する本体部３の光源配置部３０に取り付けられる。
光源部６は、円板状の光源回路基板６０と、光源回路基板６０の表面であり実装面である実装部６１に実装される光源素子６７とを備える。光源素子６７は、具体的には、ＬＥＤである。また、光源回路基板６０には、ネジ貫通孔６５が形成され、ネジ７を用いて本体部３に取り付けられる。光源部６は、光源回路基板６０の実装部６１の裏面である熱伝達部６２と光源配置部３０とが当接した状態で、光源配置部３０に固定される。
また、光源回路基板６０には、電源部５に接続された電線を挿通させる電線挿通孔６６が形成される。
ネジ貫通孔６５は、光源部６を後述する本体部３に取り付ける際に位置決めしやすくするために、光源回路基板６０の周縁部側が開放されるように形成されている。
なお、図１は照明具１００の下部から見た斜視図であるため実際には光源素子６７を目視できないので、光源素子６７の位置を点線にて示している。
光源素子６７は、できるだけ光源回路基板６０の実装部６１の周縁近傍に配置される。このように配置することにより、口金１の側への配光を向上させることができる。具体的には、全般配光形（全配光形、広配光形ともいう）の照明具１００を実現できる。具体的には、照明具１００は、全般配光形（広配光形）ほ配光特性２２０°を実現することができる。
【００３０】
図１に示すように、ネジ７は、光源回路基板６０のネジ貫通孔６５、光源配置部３０のネジ貫通孔３２、蓋部２６のネジ貫通部２６０を貫通し、絶縁部２の第１凸部２５０に設けられたネジ孔２５１にねじ込まれる。このネジ７により、光源部６、本体部３、絶縁部２の蓋部２６及び筒部２０を一体に固定する。
なお、ネジ７の他にリベット、粘着テープ、接着剤などを用いて、光源回路基板６０を光源配置部３０に取り付けてもよい。粘着テープ、接着剤などにより光源回路基板６０を光源配置部３０に取り付ける場合は、本体部３、絶縁部２の蓋部２６及び筒部２０を他のネジにより一体に固定する必要がある。
【００３１】
ここで、光源回路基板６０と光源素子６７とからなる光源部６は、カバー４を除く外形がＪＩＳに定義されている一般照明用白熱電球（エジソン電球）と略同一のフォルムを有する電球形ランプにも用いることができるように形成されている。そして、ネジ７により、光源部６、本体部３、絶縁部２の蓋部２６及び筒部２０を一体に固定された状態で、カバー４を除く外形がＪＩＳに定義されている一般照明用白熱電球（エジソン電球）と略同一のフォルムを有する電球形ランプにも用いることができる。
【００３２】
＜本体部３の説明＞
図７は、本実施の形態に係る本体部３を示す図であり、（ａ）は上部から見た斜視図、（ｂ）は下部から見た斜視図である。
図８は、本実施の形態に係る本体部３を示す図であり、（ａ）が平面図、（ｂ）が底面図である。
図９は、本実施の形態に係る本体部３を示す図であり、（ａ）が挿入切欠き部３５を示す拡大図、（ｂ）が係合溝部３４を示す部拡大図である。
図１０は、本実施の形態に係る本体部３を示す図であり、（ａ）が図９の（ｂ）の斜視図、（ｂ）が図９の（ａ）の斜視図である。
【００３３】
図１から図４及び図７から図１０を用いて、本体部３の構成について説明する。
図７に示すように、本体部３の外郭は、上面部３４７と、上面部３４７に対向する開口端部３７６と、上面部３４７の周縁である上面端部３４６から開口端部３７６の周縁に向かって窄むように形成された外周部３７３とから成る。開口端部３７６は、本体部３における下面部の一例である。
図７に示すように、本体部３は、光源部６が配置される光源配置部３０と、光源配置部３０の周囲に環状に形成された係合溝部３４とを有する。すなわち、本体部３は、光源部６の周囲に環状に形成された係合溝部３４を有する。光源配置部３０及び係合溝部３４は本体部３の上面部３４７に形成されている。
本体部３は、例えば、金属材料などの熱伝導性を有する材料で形成される。
本体部３は、外部筐体、熱伝導筐体、放熱部、ヒートシンクともいう。
【００３４】
光源配置部３０は、本体部３の上面部であり、光源回路基板６０の裏面である熱伝達部６２から光源配置部３０に対して熱伝達可能に当接した状態で、光源部６が取り付けられ
る。ここで、当接は、光源配置部３０と熱伝達部６２との間に熱伝導性の樹脂材料（不図示）などが介在した態様を含む。樹脂材料は接着機能を備えてもよい。
また、本体部３は、絶縁部２を内部に収納する筒部３７を備える。筒部３７の下部の開口端部３７６から絶縁部２が挿入される。筒部３７は照明具１００の外郭部の一部を構成する。
図９の（ａ），（ｂ）に示すように、本体部３は、係合溝部３４の周囲に、後述するカバー主部４０の一端部４４１の最下端である下端部４４と当たる上面部３４７（当接部）と、上面部３４７から窄むように形成された外周部３７３とを有する。
図９の（ａ），（ｂ）に示すように、光源配置部３０は、筒部３７の上面部３４７の周縁である上面縁部３４６よりＬ１２だけ下方に下がった位置に形成されている。これにより、光源部６が光源配置部３０に取り付けられた場合に、光源素子６７が上面部３４７と略同一面上に位置し、照明具１００の配光特性を向上させる。なお、所望の配光特性を得ることができれば、光源配置部３０は、筒部３７の上面部３４７の周縁である上面縁部３４６と同一面上に設けられていてもよいし、上面縁部３４６より高い位置に設けられていても構わない。
【００３５】
筒部３７は、上面縁部３４６から下方に向かって第４の曲率半径Ｒ４で内側に窄んだ第１錐状部３７０と、第１錐状部３７０から下方に形成された第２錐状部３７１と、第２錐状部３７１から下方に形成された第３錐状部３７２とを備える。そして、第１錘状部３７０の上面端部３４６の側には立設部３７９が形成されている。
第１錐状部３７０において第４の曲率半径Ｒ４で窄んだ形状は、第１錐状部３７０における上面端部３４６の側に形成される立設部３７９の面積、数、傾斜角度、形状などを考慮して決定するものである。また、第１錐状部３７０において第４の曲率半径Ｒ４で窄んだ形状は、後述するカバー４の第３主部４７、及び第４主部４８の形状を考慮して決定される。本体部３の第１錐状部３７０とカバー４の第４主部４８とは、上面縁部３４６を基準に上下方向のバランスが考慮された曲面を構成し、意匠性に優れた外観を提供する。
第２錐状部３７１は、窄んだり膨らんだりせずに、徐々に縮径した形状である。
第３錐状部３７２は、第３の曲率半径Ｒ３で外側に膨らんだ形状である。第３錐状部３７２は、絶縁部２の鍔部２１１と連続して滑らかな曲面をなす。
筒部３７の下端部、すなわち第３錐状部３７２の下端部は、開口端部３７６となる。
【００３６】
図４に示すように、筒部３７の上面縁部３４６側には、複数の立設部３７９が形成されている。立設部３７９は上面縁部３４６から下方に向かって僅かな範囲に形成された平面部である。本実施の形態では立設部３７は、１２個の平面部が上面縁部３４６の全周に渡って隣接して配置されている。
立設部３７９は、上面縁部３４６の側から開口端部３７６の側に向かって、徐々に本体部３の中心軸に近づくように傾斜している。
図４の（ａ）に示すように、本体部３は、立設部３７９から下方に仮想面（矢印Ｓの向きに示した破線）を延長すると、本体部３の第３錘状部３７２と口金１のシェル部１０とに接するようになっている。そして、立設部３７９からの仮想面（矢印Ｓの向きに示した破線）はカバー４とは接していない。
立設部３７９は、本体部３の第１錐状部３７０とカバー４の第４主部４８との間において、外観上のアクセントとなっている。また、立設部３７９は、照明具１００が載置面に載置された場合に転がらない形状であることを視覚的に認知させる効果がある。
図７及び図８に示すように、１２個の立接部３７９は環状に隣接している。平面視において、上面部３４７の外形は１２角形である。つまり上面縁部３４６は１２角形である。１２個の立接部３７９は、本体部３の上方の一部に１２角錐体を形成している。
ここで、上面部３４７の外形は３角形以上の多角形であればよい。すなわち、上面部３４７の外形はｎ角形であればよい（ｎは３以上の自然数）。
そして、本体部３の上方の一部は３角錐体以上の多角錐体であればよい。すなわち、本体部３の上方の一部はｎ角錐体であればよい（ｎは３以上の自然数）。
【００３７】
照明具１００を転がりにくくして安定に載置するためには、立設部３７９の面積は大きい方がよい。この場合、ｎは小さくなる。
【００３８】
カバー４の最大径Ｗ５３は多角形である上面部３４７の内設円の直径寸法より小さくする。照明具１００の配光特性に配慮するためには、カバー４の直径を大きくした方がよい。この場合、上面部３４７の面積を大きくする必要があるので、ｎは大きくなる。
【００３９】
立設部３７９は隣接していなくてもよい。つまり、立設部３７９は離間して環状に配置されていてもよい。本体部３の上方の一部は複数の平面が離間して形成されていてもよい。つまり、本体部の上方の一部は多角錐体をなしていなくてもよい。
【００４０】
筒部３７は、外周面である外周部３７３と、内周面である内周部３７４とを備える。
内周部３７４には、凹みである挿入ガイド凹部３７５が形成される。挿入ガイド凹部３７５は、絶縁部２の挿入ガイド凸部２１２と係合して、絶縁部２における筒部３７への挿入をガイドする。
外周部３７３は、照明器具への装着性を考慮した、わずかに凹む形状であり、全体として、上部から下部にかけて徐々に窄まる滑らかな曲面を成している。
【００４１】
なお、図示は省略するが、外周部３７３は、第１錐状部３７０と第３錐状部３７２とを滑らかに接続する曲面であれば、第１錐状部３７０と異なる曲率半径で窄んだ形状をなす第２錐状部３７１を備えてもよい。
また、図示は省略するが、外周部３７３は、凹んだり膨らんだりせずに徐々に縮径した形状であってもよい。
【００４２】
本体部３は、照明具１００の外殻部として安定して形態を維持させる機能、及び、光源部６の光源素子６７から発せられる動作熱を照明具１００の外部へ放散させる機能を備える。
本体部３の材質は、材料コストや成型性を優先するとアルミニウム、チタンなどの金属材料が望ましい。あるいは、これらの金属を含む合金材料、熱伝導性のフィラーが混合された樹脂材料、セラミックなどの材料を用いることができる。
また、本体部３は、射出成形法、切削法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００４３】
光源配置部３０は、光源部６の光源回路基板６０と当接する光源配置面部３１を有する。
光源配置部３０には、光源部６が取り付けられた場合に、光源回路基板６０のネジ貫通孔６５と連通するネジ貫通孔３２と、光源回路基板６０の電線挿通孔６６と連通する電線貫通孔３３とが形成される。
ネジ貫通孔３２と光源配置部３０の周縁部との間には、光源回路基板６０に形成されたネジ貫通孔６５に対応した位置決め用の目印が形成されている。具体的には、ネジ貫通孔３２と光源配置部３０の周縁部との間には、ネジ貫通孔３２の直径と略同じ幅寸法で、後述する係合溝部３４と略同じ深さの溝が形成されている。これによって、光源部６を本体部３に取り付ける際に位置決めがしやすくなる。
光源回路基板６０のネジ貫通孔６５及び電線挿通孔６６の形、光源配置部３０のネジ貫
通孔３２及び電線貫通孔３３の形は、図１、図８の形でなくてもよく、他の形でも構わない。
【００４４】
図７の（ｂ）に示すように、筒部３７の内部は空洞部３７８となっている。空洞部３７８には、内部に電源部５が収納された絶縁部２が配置される。
図９の（ａ）に示すように、空洞部３７８を形成する上面である内面部３６には、絶縁部２の第１凸部２５０が嵌まり込む第１凹部３６０が形成される。第１凸部２５０が第１凹部３６０に嵌った状態で、ネジ貫通孔３２と絶縁部２のネジ孔２５１とが連通する。  また、図９の（ｂ）に示すように、内面部３６には、絶縁部２の第２凸部２５２が嵌まり込む第２凹部３６１が形成される。第２凸部２５２が第２凹部３６１に嵌ることにより、絶縁部２の回転方向の位置決めをする。
第２凹部３６１の幅Ｗ１５（図８の（ｂ））は、第２凸部２５２の幅Ｗ２９（図６の（ａ））より若干広く形成される。
【００４５】
図９の（ｂ）に示すように、係合溝部３４は、両側の側壁３４９と側壁３４９の底に設けられた底部３４４とを有する。また、係合溝部３４は、底部３４４に対向する位置に開口部３４５を有する。係合溝部３４の深さはＬ１３である。
両側の側壁３４９のうち内側の側壁３４９を側壁内周部３４０とし、外側の側壁３４９を側壁外周部３４１とする。側壁外周部３４１は係合溝部３４の側壁３４９の一例である。側壁外周部３４１の上部には、側壁外周部３４１の上端から外側に開く傾斜を有する第２外周部３４２が形成される。
【００４６】
図９の（ｂ）に示すように、側壁外周部３４１は、底部３４４から上方に向かって徐々に内側に傾斜するように形成されている。よって、底部３４４の幅Ｗ２７より、開口部３４５の幅Ｗ２６の方が幅Ｗ２５だけ狭く形成されている。
つまり、係合溝部３４は下端部の幅より上端部（開口端部）の幅が若干狭くなっており、係合溝部３４の側壁外周部３４１は、上端部（開口端部）から下端部に向って徐々に外側に広がるように若干傾斜している。
【００４７】
このように、底部３４４の幅Ｗ２７を開口部３４５の幅Ｗ２６よりも広くすることにより、後述するカバー４の係合突起部４６が係合溝部３４から抜けにくくなり、係合溝部３４と係合突起部４６とがより確実に係合するようにしている。
係合溝部３４は二次加工によって全周に形成される。なお、係合溝部３４は係合突起部４６の幅Ｗ９（図１２の（ｂ））以上の寸法であれば部分的に形成されても良い。
【００４８】
図８の（ａ）に示すように、側壁外周部３４１には、側壁外周部３４１の直径上において対向する２箇所に、カバー４の取付部４５が係合溝部３４に挿入される際に係合突起部４６を収容するための挿入切欠き部３５が形成されている。挿入切欠き部３５は、取付部４５が係合溝部３４に挿入される際に側壁３４９において係合突起部４６に対応する位置に形成されている。
【００４９】
また、側壁内周部３４０には、対向する２箇所に、上述したネジ貫通孔３２が形成される。ネジ貫通孔３２は側壁内周部３４０から内側に凹むように形成される。
図７の（ａ）及び図８の（ａ）に示すように、係合溝部３４では、挿入切欠き部３５とネジ貫通孔３２とが対向するように配置される。
【００５０】
挿入切欠き部３５は、側壁外周部３４１が外側に凹むように切り欠かれて形成される。
図１０の（ｂ）示すように、挿入切欠き部３５は、側壁外周部３４１が切り欠かれた部分の最奥部に形成される切欠き外周部３５０と、切り欠かれた部分の側部である切欠き側壁部３５３と、切り欠かれた部分の底部である切欠き底部３５４とを有する。また、切欠
き外周部３５０と対向する位置は切欠き開口部３５５となる。
切欠き外周部３５０は、上端より略垂直に形成された第１外周部３５１と、第１外周部３５１の下端から内側に向かって傾斜した第２外周部３５２とを有する。なお、切欠き外周部３５０は、上端より略垂直に形成された第１外周部３５１のみから構成されていてもよい。また、第１挿入切欠き部３５は第１係合突起部４６に対応した形で形成されていればよく、コの字形の他に、Ｕ字形、Ｖ字形などの形で凹むように形成されてもよい。
【００５１】
以上のように、挿入切欠き部３５は、係合溝部３４の側壁外周部３４１に凹状に形成される。図９の（ａ）示すように、挿入切欠き部３５の切欠き底部３５４は、係合溝部３４の底部３４４よりも外側にＷ２４だけ広がっている。また、挿入切欠き部３５の幅Ｗ１４は、係合突起部４６の幅Ｗ９より広く形成される（Ｗ１４＞Ｗ９）。
挿入切欠き部３５の数は、収納する係合突起部４６の数以上であればよい。また、挿入切欠き部３５の位置は、収納する係合突起部４６の位置と対応していればよく、図７の（ａ）及び図８の（ａ）に示す位置に限らない。
【００５２】
ここで、光源配置部３０と係合溝部３４とを有する本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。詳しくは、外形がＪＩＳに定義されている一般照明用白熱電球（エジソン電球）と略同一のフォルムを有する電球形ランプとするためには、本体部３に取り付けられたカバーの形状を、例えば、第１錐状部３７０と繋がる面を第１錐状部３７０の第４の曲率半径Ｒ４と同じ曲率半径Ｒ４で形成して、実施の形態１とは異なる連続した滑らかな曲面とするとよい。
【００５３】
＜カバー４の説明＞
図１１は、本実施の形態に係るカバー４の斜視図である。
図１２は、本実施の形態に係るカバー４を示す図であり、（ａ）が平面図、（ｂ）が底面図である。
図１３は、本実施の形態に係るカバー４を示す図であり、図１１のＣ部拡大斜視図である。
【００５４】
図１から図４及び図１１から図１３を用いて、カバー４の構成について説明する。
カバー４は、光源部６を覆った状態で本体部３に取り付けられる。カバー４は、光透過部、透光部、光拡散部、グローブともいう。
カバー４は、本体部３と比較して熱伝導率が小さい樹脂材料を用いて形成されている。照明具１００は、外殻部に占めるカバー４の割合が比較的大きいため、使用者は照明具１００を照明器具２０００に取り付けたり取り外したりするときにカバー４を掴むことが想定される。カバー４が本体部３と比較して熱伝導率が小さい樹脂材料を用いて形成されることにより、使用者が、消灯直後に照明具１００に触れた場合でも不快感を覚えることがない。また、火傷など怪我のリスクも大幅に低減させることができる。
カバー主部４０は、光透過性の材料を含んで形成されている。また、カバー主部４０は、光拡散性の材料、光色変換可能な材料などを含んで形成されていてもよい。
【００５５】
カバー４は、カバー主部４０と、カバー主部４０の一端側である下端部４４と、下端部４４を基準にカバー主部４０と反対側に形成された取付部４５とを備える。カバー主部４０と下端部４４と取付部４５とは、一つの部品で構成されることが好ましい。
カバー４は、ブロー成形法（中空成形法）、射出成形法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００５６】
図１３に示すように、カバー４は、一端部４４１と他端部４４２とを有するカバー主部
４０と、一端部４４１に形成された筒状の取付部４５とを備える。カバー４は、取付部４５が係合溝部３４に挿入された状態で本体部３に取り付けらる。
【００５７】
カバー主部４０は、一端部４４１に凹部４８０を有すると共に、一端部４４１から他端部４４２に向かって窄むように形成されている。
図１５の（ａ）に示すように、凹部４８０は、第５の曲率半径Ｒ５で滑らかに凹んだ曲面により形成される。
【００５８】
カバー主部４０は、一端部４４１が開口し他端部４４２が閉口した筒形である。詳しくは、カバー主部４０は、下端部４４が最大径Ｗ５３であり他端側に向かって徐々に縮径するように形成され、本体部３の光源配置部３０を覆う。カバー主部４０は、他端側から配された第１主部４１、第２主部４２、第３主部４７、および第４主部４８を備える。
カバー主部４０は、光源部６と対向する第１主部４１と、一端部４４１から一端部４４１と他端部４４２との中間まで形成された第４主部４８と、第４主部４８から第１主部に向かって形成された第３主部４７と、第３主部４７と第１主部４１とをつなぐ第２主部４２とを備える。第４主部４８には、第５の曲率半径Ｒ５で滑らかに凹んだ曲面である凹部４８０が形成されている。
【００５９】
実施の形態１のカバー４は、カバー主部４０と下端部４４と取付部４５とが一つの部品として一体に成形されているが、これに限らず複数の部品を組み合わせて一体的に形成されたものであってもよい。
【００６０】
図１５の（ａ）に示すように、第１主部４１は、第１の曲率半径Ｒ１で外側に膨らんだ形状である。
第２主部４２は、第２の曲率半径Ｒ２で外側に膨らんだ形状である。
第３主部４７は、第４主部４８から第２主部４２に向かう方向に徐々に傾斜した形状である。すなわち、第３主部４７は、窄んだり膨らんだりせずに、第２主部の下端から第４主部４８に向かって徐々に拡径した形状である。
第４主部４８は、第５の曲率半径Ｒ５で内側に窄んだ形状である。すなわち、第４主部４８は、第５の曲率半径Ｒ５の曲面で滑らかに凹んだ曲面を成す形状である。
第４主部４８において第５の曲率半径Ｒ５で窄んだ形状は、本体部３の第１錐状部３７０における上面端部３４６の側に形成される立設部３７９の面積、数、傾斜角度、形状などを考慮して決定するものである。
また、第３主部４７の傾斜角度、及び第４主部の第５の曲率半径Ｒ５は、上述した本体部３の第１錐状部３７０の形状を考慮して決定される。
カバー４の第４主部４８と本体部３の第１錐状部３７０とは、上面縁部３４６を基準に上下方向のバランスが考慮された曲面を構成し、立設部３７９を間にして意匠性に優れた外観を提供する。
カバー４が本体部３に取り付けられると、第４主部４８と本体部３の第１錐状部３７０とは、本体部３の上面縁部３４６を基準に上限方向のバランスが考慮された曲面を構成し、立設部３７９を間にして意匠性に優れた外観を提供する。
【００６１】
なお、本実施の形態において、Ｒ１，Ｒ２，Ｒ５の関係は、例えば、Ｒ１≧Ｒ２≧Ｒ５となる。
【００６２】
カバー４は、第２主部４２が、第１主部４１と第３主部４７との間に配置されており、他端側の張出量を抑制している。このため、照明器具に対する着脱性が向上する。第１主部４１の最大径Ｗ５１と第２主部４２の最大径Ｗ５２との関係は、例えば、Ｗ５１≦Ｗ５２÷２である。
【００６３】
図４の（ａ）に示すように、カバー４は、第３主部４７の外周面は中心軸０に直交する仮想面に対して傾斜角度θ１で傾斜している。また、図４の（ｃ）に示すように、内周面は中心軸０に直交する仮想面に対して傾斜角度θ２で傾斜している。カバー４が射出成形法を用いて形成される場合には、２つの傾斜角度θ１，θ２は９０°より小さい角度であることが好ましい。
なお、実施の形態１において、傾斜角度θ１は傾斜角度θ２とは同じ大きさであるが、カバー４は２つの傾斜角度が異なる角度で形成されてもよい。
【００６４】
カバー主部４０は、一端部４４１の側の厚み寸法が他端部４４２の側の厚み寸法より大きい。具体的には、第４主部４８において、一端部４４１の側の厚み寸法が他端部４４２の側の厚み寸法より大きい。
【００６５】
図示は省略するが、カバー４は、カバー主部４０のうち第１主部４１、第２主部４２、および第３主部４７は同じ厚み寸法で形成されている。そして、第４主部４８は、第３主部側から下端部４４に向かって徐々に厚み寸法が大きくなるように形成されている。光源素子６７に近い第４主部４８から照射される光のみが極端に明るくなることを抑制し、カバー４から照射される光を全体に均一にする効果を得る。また、光源素子６７から出射される直進性が強い直接光による眩しさや粒状感を軽減する効果を得る。
なお、第１主部４１、第２主部４２、および第３主部４７の厚み寸法は、光源素子６７の配置、カバー４の寸法などに応じて異なる厚み寸法としてもよい。第３主部４７から第４主部４８にかけて徐々に厚み寸法が大きくなる構成でもよい。また、上述した効果と異なる効果を得る場合にも、異なる厚み寸法としてもよい。
【００６６】
一端部４４１の最下端である下端部４４は、カバー４が本体部３に取り付けられる際に、本体部３の上面部３４７（当接部）と接する部分である。
図４に示すように、カバー４は、一端部４４１から他端部４４２に向かって窄むように形成されているので、一端部４４１の最下端である下端部４４の最大外径Ｗ５３は、カバー主部４０の最大外径である。本体部３は、上面部３４７（当接部）から窄むように形成された外周部３７３を有するので、上面部３４７（当接部）の最大外径Ｗ１１が本体部３の最大外径である。
ここで、下端部４４の最大外径Ｗ５３は、本体部３の最大外径Ｗ１１（図３の（ｂ））より若干小さいことが好ましい。
【００６７】
図１２の（ｂ）に示すように、カバー４の下端部４４には、最大口径Ｗ１０の開口部４４０が形成される。カバー４が本体部３に取り付けられると、開口部４４０の位置と同じ高さの位置に光源部６が配置されるため、カバー主部４０により光源部６が覆われる。
【００６８】
ここで、前述の通り、本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。つまり、カバー４は、ＬＥＤを光源として用い、カバー４を除く外形がＪＩＳに定義されている一般照明用白熱電球（エジソン電球）と略同一のフォルムを有する電球形ランプにも用いることができるように形成された本体部３に取り付けられ、一般照明用白熱電球（エジソン電球）とは異なる外形である照明具１００（電球形ランプ）を製造するために用いられるカバーである。
【００６９】
取付部４５は、開口部４４０の周縁から筒状に突き出した形状である。取付部４５は、本体部３の係合溝部３４に挿入される。取付部４５の最大外径Ｗ７は、カバー主部４０の最大外径Ｗ５３よりも小さく形成される。すなわち、取付部４５の最大外径Ｗ７は、下端部４４の最大外径Ｗ５３よりも小さく形成される。
【００７０】
取付部４５は、下端部４４から突き出た筒部４５０と、筒部４５０の下端部から外側に突き出した鍔部４５１とを有する。本実施の形態においては、鍔部４５１は無くても構わない。なお、取付部４５の最大外径Ｗ７は、鍔部４５１の最大外径を指すものとする。
カバー主部４０は、取付部４５と一体に形成されると共に、最大外径Ｗ５３が取付部４５の最大外径Ｗ７より大きい。
【００７１】
図１６に示すように、取付部４５は、筒部４５０と鍔部４５１とを有する。筒部４５０の外周面である筒部外周面部４５０１は、取付部４５の筒状の周面の一例である。
取付部４５の鍔部４５１は、鍔部４５１の外周面となる鍔部外周面部４５２と、筒部４５０から立ち上がり鍔部外周面部４５２に連続する鍔部上面部４５３と、鍔部下面部４５９とを有する。
【００７２】
取付部４５は、筒状の周面である筒部外周面部４５０１から突き出した係合突起部４６であって弾性体により形成された係合突起部４６を有する。
係合突起部４６は、係合溝部３４に挿入された状態で、係合溝部３４の側壁である側壁外周部３４１と対向し、側壁外周部３４１により弾性変形される。
係合突起部４６では、弾性変形をする材料、形状が決定される。また、係合突起部４６は、側壁外周部３４１よりも柔らかい材料が好適である。
【００７３】
係合突起部４６は、筒部外周面部４５０１及び鍔部外周面部４５２から外側に突き出している。
図１６に示すように、係合突起部４６は、筒部外周面部４５０１から立ち上がる突起上面部４６７と、筒部外周面部４５０１及び鍔部外周面部４５２から立ち上がる一対の突起側面部４６８と、係合突起部４６の外周面である突起外周面部４６５と、突起下面部４６９とを有する。突起外周面部４６５は、下方に向かって広がるように傾斜する。突起外周面部４６５と突起下面部４６９との境界が、係合突起部４６において最も外側に突き出た突起先端部４６６である。突起下面部４６９は、鍔部下面部４５９から突起先端部４６６に向かって滑らかな曲面を成す。
なお、突起先端部４６６が鍔部下面部４５９と同じ高さにあり、突起下面部４６９が鍔部下面部４５９と連続する平面状であってもよい。
【００７４】
取付部４５は、周面に係合突起部４６を少なくとも２つ有する。図１４の（ｂ）に示すように、取付部４５の筒状の直径上において対向する２箇所に設けられる。よって、鍔部４５１の最大外径Ｗ７は、係合突起部４６を含めた取付部４５の最大外径Ｗ６より若干小さくなる（Ｗ６＞Ｗ７）。
係合突起部４６を収容する本体部３の挿入切欠き部３５は、取付部４５が係合溝部３４に挿入される際に側壁３４９において係合突起部４６に対応する位置に形成される。
【００７５】
図示は省略するが、カバー４は、係合突起部４６の上部のカバー主部４０の表面に、係合突起部４６の位置を示すガイドマークを有していてもよい。ガイドマークは、係合突起部４６の位置を作業者に認識させるためのマークである。照明具１００の光学性能及び意匠性等を考慮すると、ガイドマークはカバー主部４０の下端部寄り、すなわち第４主部４８に設けられることが好ましい。ガイドマークは、成形による立体形状、印刷、刻印などにより設けられていてもよい。
【００７６】
＜本体部３とカバー４との取付け構造について＞
図１４は、本実施の形態に係る本体部３とカバー４との取付け構造を示す図であり、（ａ）が挿入切欠き部３５に係合突起部４６を挿入する状態を示す図、（ｂ）が挿入切欠き部３５に係合突起部４６を挿入した状態を示す図である。
図１５は、本実施の形態に係る本体部３とカバー４との取付け構造を示す図であり、挿入切欠き部３５に係合突起部４６を挿入した後にカバー４を回転した状態を示す図である。
【００７７】
図１４及び図１５を用いて、本体部３とカバー４との取付け手順について説明する。
（１）作業者は、ガイドマークにより係合突起部４６の位置を確認し、係合突起部４６を本体部３の係合溝部３４の挿入切欠き部３５の位置に合わせながら、取付部４５を係合溝部３４に挿入する。図１４の（ａ），（ｂ）は（１）の手順を示している。
このとき、図１４の（ｂ）に示すように、係合突起部４６の突起外周面部４６５は、係合溝部３４の側壁外周部３４１よりも外側に位置している。すなわち、係合突起部４６の厚みは、対応する側壁外周部３４１と側壁内周部３４０との間隔よりも大きい。
つまり、取付部４５の下端部における、カバー中心軸から係合突起部４６の外周までの最短距離は、本体中心軸から挿入切欠き部３５の外壁である切欠き外周部３５０までの最短距離より若干小さい。また、取付部４５の下端部における、カバー中心軸から係合突起部４６の外周までの最短距離は、本体中心軸から係合溝部３４の側壁外周部３４１までの最短距離より若干大きい。
【００７８】
（２）次に、作業者は、カバー４をＴ１方向に回転させる。あるいは、作業者は、本体部３をＴ２方向に回転させる。作業者は、カバー４をＴ１方向に回転させると共に、本体部３をＴ２方向に回転させてもよい。
この回転により、係合突起部４６は、本体部３の係合溝部３４における挿入切欠き部３５の位置から、側壁外周部３４１と側壁内周部３４０とに挟まれた位置に移動する。図１５は（２）の手順後を示している。
【００７９】
上述したように、係合突起部４６の厚みは側壁外周部３４１と側壁内周部３４０との間隔よりも大きいので、係合突起部４６が側壁外周部３４１と側壁内周部３４０との間に圧入される。係合突起部４６が側壁外周部３４１と側壁内周部３４０との間に圧入されると、係合突起部４６は、係合溝部３４の側壁である側壁外周部３４１と対向した状態で側壁の反力によって弾性変形する。
【００８０】
図１５に示すように、突起外周面部４６５は、係合溝部３４の側壁外周部３４１によりＰ方向に押圧される。すなわち、係合突起部４６が若干弾性変形した状態で、突起外周面部４６５または突起先端部４６６が係合溝部３４の側壁外周部３４１に押し付けられる。突起外周面部４６５または突起先端部４６６は、矢印Ｐの向きに押し返される。このようにして係合突起部４６は係合溝部３４によって係止され、カバー４は本体部３と強く密着する。
【００８１】
以上のように、カバー４の取付部４５が、挿入切欠き部３５に係合突起部４６を収容しながら係合溝部３４に挿入された状態から係合溝部３４の周方向（溝方向ともいう）に回転すると、係合突起部４６は、取付部４５の回転にしたがって挿入切欠き部３５の位置から側壁である側壁外周部３４１と対向した位置に移動する。
係合突起部４６は、側壁外周部３４１と対向する位置において、側壁外周部３４１により弾性変形するため、少なくとも側壁外周部３４１は係合突起部４６よりも硬い材料であることが好適である。
【００８２】
ここで、前述の通り、本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。つまり、カバー４は、ＬＥＤを光源として用い、カバー４を除く外形がＪＩＳに定義されている一般照明用白熱電球（エジソン電球）と略同一のフォルムを有する電球形ランプにも用いることができるように形成された本体部３に取り付けられ、一般照明用白熱電球（エジソン電球）とは異なる外形形状である照明具１００（電球形ランプ）を製造するために用いられるカバーである。このため、取付部４５は、異なる主部を有する他のカバーと同一の構成としており、本体部３とカバー４との取付け構造についても同一のとすることができる。
【００８３】
＜照明具１００の形状について＞
次に、図４を用いて、照明具１００の形状について説明する。
本実施の形態に係る照明具１００は、例えば、発光管が長手方向に沿って配置された電球形蛍光ランプと、包絡形状と長手方向における発光部分の比率が略同じである電球形ＬＥＤランプであり、その形状は以下の通りである。
（ａ）カバー主部４０の高さ寸法Ｌ２は、照明具１００の高さ寸法Ｌ１の４５％以上である。
（ｂ）本体部３の高さ寸法Ｌ３は、照明具１００の高さ寸法Ｌ１の２５％以下である。
（ｃ）カバー主部４０の高さ寸法Ｌ２は、本体部３の高さ寸法Ｌ３より大きい。
（ｄ）本体部３の高さ寸法Ｌ３は、カバー主部４０の高さ寸法Ｌ２の５０％以下である。
（ｅ）カバー主部４０は下端部４４が最大径となっており、カバー主部４０の最大径寸法Ｗ５３は、本体部３の最大径寸法Ｗ１１より小さい（Ｗ５３＜Ｗ１１）。
（ｆ）カバー主部４０の最大径寸法Ｗ５３は、本体部３の最大径寸法Ｗ１１の９９％以下である。これによりカバー４の下端部４４が本体部３の上面縁部３４６の外側にはみ出すことがない。
（ｇ）カバー主部４０の包絡体積は、本体部３の包絡体積より大きい。
（ｈ）カバー主部４０において、第１主部４１と第２主部４２との部分の高さ寸法Ｌ６は、第３主部４７の高さ寸法Ｌ７より小さい（Ｌ６＜Ｌ７）。
（ｉ）カバー主部４０において、第４主部４８の高さ寸法Ｌ８は、第３主部４７の高さ寸法Ｌ７より小さい（Ｌ８＜Ｌ７）。
（ｊ）カバー主部４０において、第１主部４１と第２主部４２との部分の高さ寸法Ｌ６は、第４主部４８の高さ寸法Ｌ８より大きい（Ｌ６＞Ｌ８）。
（ｋ）光源部６（発光部）がカバー主部４０の下端部４４と同じ高さになる位置に配置（実装）される。
（ｌ）本体部３の最大径寸法Ｗ１１は、本体部３の高さ寸法Ｌ３と鍔部２１１の高さ寸法Ｌ４とを合わせた高さ（Ｌ３＋Ｌ４）以上である（Ｗ１１≧Ｌ３＋Ｌ４）。
（ｍ）カバー主部４０の高さ寸法Ｌ２は、本体部３の高さ寸法Ｌ３と鍔部２１１の高さ寸法Ｌ４と口金１の高さ寸法Ｌ５とを合わせた高さ（Ｌ３＋Ｌ４＋Ｌ５）の９０％以上である（Ｌ２≧０．９×（Ｌ３＋Ｌ４＋Ｌ５））。カバー主部の高さ寸法Ｌ２は、口金１が配置された本体部３において上面部３４７（当接部）から口金１の先端部（最下端）までの高さ寸法（Ｌ３＋Ｌ４＋Ｌ５）の９０％以上である。
（ｎ）光源部６（発光部）の発光中心（光源）は本体部３の最小径領域の１２０％以内の領域に配置される。これにより、光源素子６７から出射する光をカバー４の第１主部４１から第３主部４７にかけて効率よく照射させて光の利用効率を向上させることができる。また、カバーを除く外形がＪＩＳに定義されている一般照明用白熱電球（エジソン電球）と略同一のフォルムを有する電球形ランプに光源部６（発光部）を用いた場合に口金１側への配光が向上する。
なお、実施の形態に係る照明具１００は、上述のように、照明具（電球形ランプ）全体における本体部３の占める高さ寸法の割合が低く抑えられている。このため、本体部３の筒部３７の内部に収容される絶縁部２について、蓋部２６の厚さ寸法を最小化（フィルム化、シート化）することによって、電源部５が収納される絶縁部２の筒部２０の容積を確保しながら本体部３の高さ寸法Ｌ３を小さくすることができる。
【００８４】
また、より具体的には、本実施の形態に係る照明具１００は以下のような特徴を有することが好ましい。
（Ａ）外形が、長手方向に沿って発光管が配置された電球形蛍光ランプの包絡形状と略同じであること。
（Ｂ）長手方向において発光部分が占める長さの比率が略同じであること。
（Ｃ）本体部３の外形がＪＩＳに定義されている一般照明用白熱電球（エジソン電球）と完全同一または同等のフォルムであること。
（Ｄ）白熱電球用の照明器具または電球形蛍光灯用の照明器具に取り付けが可能であること。
（Ｅ）発光管がスパイラルタイプある電球形蛍光ランプ用の照明器具に取り付けが可能であること。
（Ｆ）発光管が長手方向に沿って配置された電球形蛍光ランプ用の照明器具に取り付けが可能であること。
（Ｇ）全体のバランスが良く、意匠性に優れた外形形状であること。
（Ｈ）載置面に載置された時に転がらない外形形状であること。
（Ｉ）照明器具に取り付ける際に、掴み易い外形形状であること。
＜照明具１００の載置について＞
次に、図１７を用いて、照明具１００の形状について説明する。
本実施の形態に係る照明具１００は、本体部３の上方の一部に複数の平面部である立接部３７９が形成されている。そして。立設部３７９から下方に仮想面（矢印Ｓの向きに示した破線）を延長すると、本体部３の第３錘状部３７２と口金１のシェル部１０とに接するようになっている。そして、立設部３７９からの仮想面（矢印Ｓの向きに示した破線）はカバー４とは接していない。
図１７に示すように、照明具１００を載置面８０００に載置すると、本体部３の立設部３７９（矢印Ｐ１）、本体部３の第３錐状部３７２（矢印Ｐ３）、及び口金１のシェル部１０（矢印Ｐ２）が載置面に接する。照明具１００は、１つの平面である立設部３７９と２つの点である第３錐状部３７２及び口金１のシェル部１０によって載置面８０００上に支えられている。このとき、照明具１００は、カバー４の側が斜め上に向くように、中心軸０が載置面８０００に対してθｄの角度をなしている。照明具１００は重心が本体部３の内側にあるため、載置された場合には、立設部３７９を境にして、カバー４の側が上方に配置され、口金４の側が下方に配置される。すなわち、照明具１００は中心軸０を載置面８０００に対してθｄの角度をなして傾くように載置される。
このようにして、照明具１００は、載置面８０００に載置されると、転がらずに載置された姿勢を維持する。
【００８５】
＜＜本実施の形態の効果の説明＞＞
以上のように、本実施の形態に係る照明具１００によれば、カバー主部４０が光源部６近傍となる一端部４４１に滑らかに凹んだ凹部４８０を有するので、コスト削減を図ることができると共に、光の取り出し効率を向上させることができる。すなわち、ダウンライト装置への装着性の改善を少ないのコストで実現し得る電球形ランプである照明具を提供することができる。
【００８６】
また、本実施の形態に係る照明具１００では、第２主部４２が、第１主部４１と第３主部４７との間に配置されており、他端側の張出量を抑制しているので、照明器具に対する着脱性が向上する。
また、本実施の形態に係る照明具１００では、第３主部４７の傾斜角度θ１，θ２を９０°より小さい角度にすることにより、カバー４を射出成形法により容易に形成することができる。
また、本実施の形態に係る照明具１００では、第４主部４８と本体部３の第１錐状部３７０とが、本体部３の上面縁部３４６を基準に上限方向のバランスが考慮された曲面を構成するので、意匠性に優れた外観を提供する。また、第４主部４８が光源部６近傍に滑らかに凹んだ凹部４８０を有するので、光の取り出し効率を向上させることができる。また、第４主部４８の厚みが第３主部４７側から下端部４４に向かって徐々に厚くなるように形成されているので、光源素子６７に近い第４主部４８から照射される光のみが極端に明るくなることを抑制することができる。また、カバー４から照射される光を全体に均一にすると共に、光源素子６７から出射される直進性が強い直接光による眩しさや粒状感を軽減する。
【００８７】
また、本実施の形態に係る照明具１００では、取付部４５の係合突起部４６が本体部３の挿入切欠き部３５に沿うように中心軸方向に挿入され、カバー４を本体部３へ押付けた状態で、カバー４または本体部３のいずれかを中心軸を基準にして回転する。そして、係合突起部４６が挿入切欠き部３５から係合溝部３４に移動した位置で回転を停止する。このようにカバー４が本体部３に取り付けられた状態では、取付部４５の係合突起部４６が若干弾性変形した状態となっており、係合突起部４６の弾性力によって係合突起部４６の突起先端部４６６が係合溝部３４の若干傾斜した側壁外周部３４１に押し付けられる。このとき、カバー４は、若干傾斜した側壁外周部３４１の反力を受けるので、係合突起部４６が本体部３の係合溝部３４の下端部に向って押し戻される。つまり、カバー４は本体部３に密着して取り付けられることになり、本体部３に取り付けられたカバー４は、本体部３から外れるおそれがない。
【００８８】
また、本実施の形態において、照明具（電球形ランプ）１００全体における本体部（ヒートシンク）３の占める割合が低く抑えられているので、照明具１００は軽量化できる。そして、カバー４は相対的に大きくなるため重くなり、相対的に小さくなる本体部３に対して確実に取り付ける必要がある。そこで、本実施の形態に係る取付け構造によれば、照明具１００のカバー４と本体部３とはより確実に取り付けられるため、本体部３に取り付けられたカバー４が相対的に重くなっても本体部３から外れるおそれがない。
【００８９】
また、本実施の形態に係る照明具１００では、カバー主部４０と取付部４５とが１つの部品で形成されているため、製造コストを削減できると共に、製造品質も向上させることができる。
また、外観意匠部品であり光を透過する光学部品であるカバーは、照明装置（ランプ）にとって最も重要な部品であり、カバーの表面に固着痕を残す製造方法は、意匠性、光学特性を損なうおそれがある、本実施の形態に係る照明具１００では、カバー主部４０と取付部４５とが１つの部品として形成されているため、意匠性、光学特性を損なうおそれがない。
このように、本実施の形態に係る照明具１００によれば、簡単な構成によりカバー４と本体部３とを確実に接合することができるので、製造コストを削減できる。また、カバー４は１つの部品により形成されているので、製造品質も向上させると共に、意匠性、光学特性を損なうおそれがない。
【００９０】
カバー４の取付部４５と本体部３とが取り付けられる部分は、カバー４の最大径となり、光源素子（ＬＥＤ）６７は本体部（ヒートシンク）３のカバー４に覆われる部分に形成された光源配置部３０に配置（実装）される。そこで、光源素子６７から出射する光をカバー４の第１主部４１から第３主部４７にかけて効率よく照射させて光の利用効率を向上させるためには、光源素子（ＬＥＤ）６７は光源配置部３０のなるべく外縁側に配置（実装）されることが好ましい。このため、取付部４５は、光源配置部３０の更に外縁部の極々限られた領域に取り付ける必要がある。
本実施の形態に係る本体部３とカバー４との取付け構造によれば、取付部４５の周面から突出した係合突起部４６を弾性変形させて係合溝部３４の側壁外周部３４１に密着させるので、係合溝部３４の幅を小さくして、光源配置部３０の面積を大きくすることができる。
なお、本体部に対するカバーの寸法は、例えば摂氏２５度以上の環境で調整し、照明具１００を点灯させたときにカバー４が若干熱膨張するようにすれば、少なくとも照明具１００に通電させているときにカバー４が落下するおそれがない。
そして、本実施の形態に係る照明具１００は、本体部３の上方の一部に複数の平面部である立接部３７９が形成されたので、載置面に載置する場合に転がりにくくなる。詳しくは、照明具１００を載置面８０００に載置すると、１つの平面である本体部３の立設部３７９と、２つの点である、本体部３の第３錐状部３７２（矢印Ｐ３）、及び口金１のシェル部１０（矢印Ｐ２）が載置面に接するので、１つの面と２つの点で載置面８０００に支えられる。照明具１００は、１つの面である立設部３７９と２つ以上の点である第３錐状部３７２及び口金１のシェル部１０によって載置面８０００上に支えられている。
照明具１００は載置面に載置された場合に転がらずに静止状態を維持させることができるので、載置面の僅かな傾きなどによって照明具１００が転がることを抑制でき、取り付け又は取り外し作業を効率的に行うことができる。そして、載置面が高所にある場合には、照明具１００が転がらないので落下を防止することができ、照明具１００を損傷させてしまう恐れもない。
【００９１】
＜＜他の構成＞＞
本実施の形態では、係合突起部は、取付部の外側の周面である筒部外周面部から突出するように形成されていた。しかし、係合突起部が取付部の内側の周面から内側に突出するように取り付けられていてもよい。あるいは、取付部の両側の周面から突出していてもよい。
例えば、係合突起部が取付部の内側の周面から突出する場合、係合突起部を側壁内周部に形成された凹みであるネジ貫通孔に沿わせながら、取付部を係合溝部に挿入する。その後、カバーを回転させて、係合突起部が側壁内周部に対向する位置まで移動させる。このとき、本実施の形態と同様に、側壁内周部により係合突起部が弾性変形され、カバーと本体部とが密着する。
また、例えば、係合突起部が取付部の両側の周面から突出する場合、係合突起部を側壁外周部に形成された挿入切欠き部と側壁内周部に形成されたネジ貫通孔とに沿わせながら、取付部を係合溝部に挿入する。その後、カバーを回転させて、係合突起部が側壁外周部と側壁内周部とに挟まれる位置まで移動させる。このとき、本実施の形態と同様に、側壁外周部と側壁内周部とに挟まれ係合突起部が弾性変形され、カバーと本体部とが密着する
。
【００９２】
また、本実施の形態では光源素子６７としてＬＥＤを用いているが、ＬＥＤ以外の光源素子を用いてもよい。具体的には、光源素子として、有機ＥＬ（Ｏｒｇａｎｉｃ  ｅｌｅｃｔｒｏ−ｌｕｍｉｎｅｓｃｅｎｃｅ：ＯＥＬ）あるいは（Ｌｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ：ＬＡＳＥＲ）を用いてもよい。
本実施の形態では、カバーと本体部との取付け構造について、ＬＥＤを光源として用いた白熱電球と完全同一または同等のフォルムの電球形ランプを例として説明したが、その他の形態の電球形ランプでも適用可能である。例えば、ＬＥＤを光源として用いたミニクリプトンタイプの小形電球でも適用可能である。
【００９３】
実施の形態２．
本実施の形態では、主に、実施の形態１と異なる点について説明する。
図１６は、本実施の形態に係る照明具１００の部分拡大断面図である。図１６では、本体部３の係合溝部３４と、取付部４５のうち係合突起部４６が設けられていない部分との係合状態を示している。
図１６において、実施の形態１と同様の構成部については同一の符号を付し、その説明を省略するものとする。
【００９４】
本実施の形態に係る取付部４５と係合溝部３４との取付け構造は、係合溝部３４に接着剤８を充填するものである。
図１７に示すように、取付部４５を係合溝部３４に接着固定する場合に、硬化した接着剤８が取付部４５の鍔部４５１を抱え込んで保持する。筒部外周面部４５０１と鍔部上面部４５３と鍔部外周面部４５２とにより形成されるくぼみ部分に接着剤８が入り込んで硬化することで接着力が高まるアンカー効果を増大させることができる。
【００９５】
実施の形態３．
本実施の形態では、主に、実施の形態１，２と異なる点について説明する。
図１８は、実施の形態３に係る照明具１００ａを埋め込みタイプの照明器具２０００に装着した照明装置３０００を示す図である。
図１８において、実施の形態１，２と同様の構成部については同一の符号を付し、その説明を省略する。
本実施の形態では、実施の形態１及び２で説明した照明具１００を埋め込みタイプの照明器具２０００に装着した照明装置３０００について説明する。
【００９６】
照明器具２０００は、天井面などの取付部（造営部）６０００に設けられた取付孔７０００に、取付金具２００５により取り付けられる。
照明器具２０００は、反射板枠２００１、器具本体２００２、ソケットホルダ２００３、ソケット２００４、端子台２００６などを備える。
照明具１００ａは、照明器具２０００のソケット２００４に装着される。
本実施の形態において、照明器具２０００に取り付けられる照明具１００ａは小型化されているので、照明具を斜め方向に着脱する照明器具２０００への着脱性が向上する。また、照明具１００ａは軽量化されているので、照明器具２０００への負担が軽減される。
【００９７】
実施の形態４．
本実施の形態では、主に、実施の形態７と異なる点について説明する。
図１９は、実施の形態３に係る照明具１００ａを、実施の形態７とは異なる埋め込みタイプの照明器具２０００ａに装着した照明装置３０００ａを示す図である。
図１９において、実施の形態１，２と同様の構成部については同一の符号を付し、その説明を省略する。
本実施の形態では、実施の形態１及び２で説明した照明具１００を埋め込みタイプの照明器具２０００ａに装着した照明装置３０００ａについて説明する。
【００９８】
照明器具２０００ａは、天井面などの取付部（造営部）６０００に設けられた取付孔７０００に取り付けられる。
照明器具２０００ａは、反射板枠２００１ａ、器具本体２００２ａ、ソケットホルダ２００３ａ、ソケット２００４ａ、端子台２００６ａなどを備える。
照明具１００ａは、照明器具２０００ａのソケット２００４ａに装着される。
本実施の形態において、照明器具２０００ａに取り付けられる照明具１００ａは小型化されているので、照明具を水平方向に着脱する照明器具２０００ａへの着脱性が向上する。また、照明具１００ａは軽量化されているので、照明器具２０００ａへの負担が軽減される。
【００９９】
以上、本発明の実施の形態１から８について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【０１００】
１  口金、１０  シェル部、１２  アイレット部、２  絶縁部、２０  筒部、２１  外周部、２１０  ネジ部、２１１  鍔部、２１２  挿入ガイド凸部、２１３  電線配置溝、２２  内周部、２２０  収容部、２３  リブ、２４  第１開口端部、２４０  通線凹部、２５  第２開口端部、２５０  第１凸部、２５１  ネジ孔、２５２  第２凸部、２６  蓋部、２６０  ネジ貫通部、２６１  電線貫通孔、３  本体部、３０  光源配置部、３１  光源配置面部、３２  ネジ貫通孔、３３  電線貫通孔、３４  係合溝部、３４０  側壁内周部、３４１  側壁外周部、３４２  第２外周部、３４４  底部、３４５  開口部、３５  挿入切欠き部、３５０  切欠き外周部、３５１  第１外周部、３５２  第２外周部、３５３  切欠き側壁部、３５４  切欠き底部、３５５  切欠き開口部、３４５  傾斜部、３４６  上面縁部、３４７  上面部、３４９  側壁、３６  内面部、３６０  第１凹部、３６１  第２凹部、３７  筒部、３７０  第１錐状部、３７１  第２錐状部、３７２  第３錐状部、３７３  外周部、３７４  内周部、３７５  挿入ガイド凹部、３７６  開口端部、３７８  空洞部、３７９  立設部、４，４ａ，４ｂ  カバー、４０  カバー主部、４１  第１主部、４２  第２主部、４４  下端部、４４０  開口部、４４１  一端部、４４２  他端部、４５  取付部、４５０  筒部、４５０１  筒部外周面部、４５１  鍔部、４５２  鍔部外周面部、４５３  鍔部上面部、４５９  鍔部下面部、４６  係合突起部、４６５  突起外周面部、４６６  突起先端部、４６７  突起上面部、４６８  突起側面部、４６９  突起下面部、４７  第３主部、４８  第４主部、４８０  凹部、４８２  凸部、５  電源部、５０  点灯回路基板、５１  点灯回路部品、６  光源部、６０  光源回路基板、６１  実装部、６２  熱伝達部、６５  ネジ貫通孔、６６  電線挿通孔、６７  光源素子、７  ネジ、８  接着剤、１００  照明具、２０００，２０００ａ  照明器具、２００１，２００１ａ  反射板枠、２００２，２００２ａ  器具本体、２００３，２００３ａ  ソケットホルダ、２００４，２００４ａ  ソケット、２００５  取付金具、２００６，２００６ａ  端子台、３０００，３０００ａ  照明装置、３７００  立設部、３７０１  上端部、３７０２  曲部、６０００  取付部（造営部）、７０００  取付孔、８０００  載置面。
【図１】
2018174072.tif 000003
【図２】
2018174072.tif 000004
【図３】
2018174072.tif 000005
【図４】
2018174072.tif 000006
【図５】
2018174072.tif 000007
【図６】
2018174072.tif 000008
【図７】
2018174072.tif 000009
【図８】
2018174072.tif 000010
【図９】
2018174072.tif 000011
【図１０】
2018174072.tif 000012
【図１１】
2018174072.tif 000013
【図１２】
2018174072.tif 000014
【図１３】
2018174072.tif 000015
【図１４】
2018174072.tif 000016
【図１５】
2018174072.tif 000017
【図１６】
2018174072.tif 000018
【図１７】
2018174072.tif 000019
【図１８】
2018174072.tif 000020
【図１９】
2018174072.tif 000021